(57)【要約】情報プロバイダのステーション（１）の情報を使用する方法、通信端末機器（５）、中央部局（１５）及び情報プロバイダのステーション（１）が提案され、情報プロバイダのステーション（１）による、端末機器に依存しない位置情報識別子の問合せが実現される。情報プロバイダの情報は位置情報として、通信端末機器（５）によって使用されるアプリケーション（１０）、例えばナビゲーションアプリケーションにおいて使用することができる。ステーション（１）によって、位置情報に対応付けられた位置情報識別子が中央部局（１５）に問い合わせられる。ステーション（１）に通信端末機器（５）が位置情報を問い合わせる場合には、位置情報識別子がステーション（１）から通信端末機器（５）に伝送される。対応付けられた位置情報の問合せと共に、受信した位置情報識別子と通信端末機器（５）を用いて使用されるアプリケーション（１０）に対応付けられたアプリケーション識別子とが、通信端末機器（５）から中央部局（１５）に伝送される。位置情報識別子に対応付けられた位置情報はアプリケーション識別子に依存して中央部局（１５）によって、位置情報が通信端末機器（５）に伝送された後にアプリケーション（１０）によって使用できるように処理される。
2004511133.tif 000002
【特許請求の範囲】
【請求項１】
通信端末機器（５）を用いて使用されるアプリケーション（１０）、例えばナビゲーションアプリケーションにおいて、位置情報例えば位置座標である、情報プロバイダのステーション（１）の情報を使用する方法において、
前記ステーション（１）は前記位置情報に対応付けられた位置情報識別子を中央部局（１５）に問い合わせ、
前記通信端末機器（５）によって前記ステーション（１）に前記位置情報が問い合わせられる場合には、前記位置情報識別子を前記ステーション（１）から前記通信端末機器（５）に伝送し、
対応付けられた前記位置情報の問合せと共に、受信した前記位置情報識別子と、前記通信端末機器（５）を用いて使用される前記アプリケーション（１０）に対応付けられたアプリケーション識別子とを前記通信端末機器（５）から前記中央部局（１５）に伝送し、
前記位置情報識別子に対応付けられた位置情報を前記アプリケーション識別子に依存して、該位置情報が前記通信端末機器（５）への伝送後に前記アプリケーション（１０）により使用されるように前記中央部局（１５）によって処理することを特徴とする、情報プロバイダのステーション（１）の情報を使用する方法。
【請求項２】
前記位置情報識別子に対応付けられた前記位置情報を前記アプリケーション識別子に依存して、前記アプリケーション（１０）により該位置情報が一義的に復号されるように前記中央部局（１５）によって符号化する、請求項１記載の方法。
【請求項３】
前記処理された位置情報を前記中央部局（１５）から、位置情報データ、例えば位置座標情報として前記通信端末機器（５）に伝送し、該位置情報データは、前記アプリケーション識別子に依存して前記位置情報識別子に対応付けられた前記位置情報に対応付けられており、前記中央部局（１５）に記憶されている、請求項１または２記載の方法。
【請求項４】
前記位置情報識別子を前記ステーション（１）から前記通信端末機器（５）へと第１の通信ネットワーク（２０）、例えばインターネットを介して伝送する、請求項１、２または３記載の方法。
【請求項５】
前記処理された位置情報を前記中央部局（１５）から前記通信端末機器（５）へと第２の通信ネットワーク（２５）、例えば移動無線ネットワークを介して伝送する、請求項１から４のいずれか１項記載の方法。
【請求項６】
請求項１から５のいずれか１項記載の方法を実施する通信端末機器（５）において、
アプリケーション（１０）が設けられており、該アプリケーション（１０）は位置情報問合せ、例えば位置座標問合せを、情報プロバイダのステーション（１）によって問い合わせられた位置情報識別子及び該アプリケーション（１０）に対応付けられたアプリケーション識別子と共に、第１の送信装置（３０）を用いて中央部局（１５）に送信し、
第１の受信装置（３５）が設けられており、該受信装置（３５）は問合せに基づいて前記中央部局（１５）から、前記アプリケーション（１０）によって使用されるために処理された位置情報を受信し、処理を行う該アプリケーション（１０）に転送することを特徴とする、通信端末機器（５）。
【請求項７】
前記第１の受信装置（３５）は、受信した前記処理された位置情報を前記アプリケーション（１０）の復号化装置（４０）に供給し、該復号化装置（４０）は前記処理された位置情報を一義的に復号する、請求項６記載の通信端末機器（５）。
【請求項８】
前記アプリケーション（１０）はナビゲーションアプリケーションであり、受信した前記処理された位置情報を目的地案内ユニット（４５）に供給し、前記処理された位置情報によって特徴付けられた目的地点への目的地案内情報を形成する、請求項６または７記載の通信端末機器（５）。
【請求項９】
第２の送信装置（５０）及び第２の受信装置（５５）が設けられており、該第２の送信装置（５０）及び該第２の受信装置（５５）は前記ステーション（１）と通信するために第１の通信ネットワーク（２０）、例えばインターネットとのインタフェースを形成し、
前記第１の受信装置（３５）及び前記第１の送信装置（３０）は、前記中央部局（１５）と通信するための第２の通信ネットワーク（２５）、例えば移動無線ネットワークとのインタフェースを形成する、請求項６、７または８記載の通信端末機器（５）。
【請求項１０】
前記通信端末機器（５）は移動体として構成されている、請求項６から９のいずれか１項記載の通信端末機器（５）。
【請求項１１】
請求項１から５のいずれか１項記載の方法を実施する中央部局（１５）において、
通信端末機器（５）から位置情報識別子及びアプリケーション識別子を受信する第３の受信装置（６０）が設けられており、
前記位置情報識別子に対応付けられ、メモリ（７０）に格納されている位置情報を求める比較装置（６５）が設けられており、
求められた前記位置情報を前記アプリケーション識別子に依存して処理する処理装置（７５）が設けられており、
前記処理された位置情報を前記通信端末機器（５）に送信する第３の送信装置（８０）が設けられていることを特徴とする、中央部局（１５）。
【請求項１２】
前記メモリ（７０）には、前記位置情報識別子及び前記アプリケーション識別子に対応付けられている位置情報データ、例えば位置座標情報が格納されており、該位置情報データは前記処理された位置情報に対応し、
前記処理装置（７５）は前記座標情報を前記メモリ（７０）から取り出し、前記第３の送信装置（８０）に送出する、請求項１１記載の中央部局（１５）。
【請求項１３】
符号化装置（８５）が設けられており、該符号化装置（８５）は前記位置情報を前記アプリケーション識別子に依存して符号化する、請求項１１または１２記載の中央部局（１５）。
【請求項１４】
第４の受信装置（９０）が設けられており、該第４の受信装置（９０）は情報プロバイダのステーション（１）から位置情報を受信し、
前記比較装置（６５）は受信した該位置情報に対応付けられ、前記メモリ（７０）に格納されている位置情報識別子を求め、
第４の送信装置（９５）が設けられており、該第４の送信装置（９５）は該位置情報識別子を前記ステーション（１）に送信する、請求項１１、１２または１３記載の中央部局（１５）。
【請求項１５】
第３の通信ネットワーク（１００）を介する前記ステーション（１）と前記中央部局（１５）との間のデータ交換を行い、
第２の通信ネットワーク（２５）、例えば移動無線ネットワークを介する前記通信端末機器（５）と前記中央部局（１５）との間のデータ交換を行う、請求項１１から１４のいずれか１項記載の中央部局（１５）。
【請求項１６】
請求項１から５のいずれか１項記載の方法を実施する、情報プロバイダのステーション（１）において、
通信端末機器（５）の位置情報識別子問合せ、例えば位置座標識別子問合せを受信する第５の受信装置（１０５）が設けられており、
問い合わせられた位置情報識別子を前記通信端末機器（５）に送信する第５の送信装置（１１０）が設けられていることを特徴とする、ステーション（１）。
【請求項１７】
位置情報を位置情報識別子問合せと共に中央部局（１５）に送信する第６の送信装置（１１５）が設けられており、
前記中央部局（１５）から、前記位置情報に対応付けられた位置情報識別子を受信する第６の受信装置（１２０）が設けられている、請求項１６記載のステーション（１）。
【発明の詳細な説明】
【０００１】
従来技術
本発明は独立請求項の上位概念による、情報を提供するステーションの情報を使用する方法、通信端末機器、中央部局及び情報プロバイダのステーションに関する。
【０００２】
位置座標である情報がサービスプロバイダまたは情報プロバイダのステーションから通信端末機器へと伝送されるナビゲーションアプリケーションが既に公知であり、通信端末機器を用いてナビゲーションアプリケーションを使用することができる。
【０００３】
位置座標が絶対的な座標値として情報プロバイダのステーションから通信端末機器へと伝送される場合には、例えばナビゲーションアプリケーションを用いる位置座標のディジタルマップへのマッピングは誤りがある。この問題は情報プロバイダが既に前もって、通信端末機器において、ないし通信端末機器を用いて使用できるアプリケーションにおいて使用されるディジタルマップの特性を識別している場合は回避することができる。情報プロバイダはこの場合、通信端末機器ないしこの通信端末機器を用いて使用されるアプリケーションに調整されている位置座標を形成することができ、通信端末機器ないしアプリケーションの相応のディジタルマップにマッピングされる際にもはや誤りは存在しない。このような場合、そのようにして形成された位置座標はもはや絶対的な位置座標ではなく、通信端末機器ないし相応のアプリケーションに関する位置座標である。
【０００４】
発明の利点
独立請求項の特徴を有する、情報を提供するステーションの情報を使用する本発明による方法、本発明による通信端末機器、本発明による中央部局及び情報プロバイダの本発明によるステーションは、これに対して以下の利点を有する。すなわち、情報を提供するステーションによって、位置情報例えば位置座標に対応付けられた位置情報識別子が中央部局に問い合わせられ、通信端末機器が情報を提供するステーションに位置情報を問い合わせる場合には、位置情報識別子が情報を提供するステーションから通信端末機に伝送され、対応付けられた位置情報の問合せと共に、受信した位置情報識別子と通信端末機器を用いて使用されるアプリケーションに対応付けられたアプリケーション識別子とが通信端末機器から中央部局に伝送され、そこでは位置情報識別子に対応付けられた位置情報がアプリケーション識別子に依存して、位置情報が通信端末機器に伝送された後にアプリケーションによって使用できるように中央部局によって処理される。
このようにして情報プロバイダは地理的な情報を、問合せを行うそれぞれの通信端末機器ないしこの通信端末機器を用いて使用されるアプリケーションの可能性や特性に依存せずに供給することができる。情報プロバイダによって供給される地理的な情報を、それぞれの通信端末機器ないしこの通信端末機器のアプリケーションの特性に対応付けることは中央において行われるので、個々の情報プロバイダの手間が低減される。この場合、情報プロバイダから提供される位置情報である地理的な情報は位置に関するものでしかなく、もはや地図またはアプリケーションに関するものではない。地図ないしアプリケーションへの関連付けは任意の情報プロバイダに代わり中央部局によって行われる。したがって、情報プロバイダによって供給される地理的な情報の位置への関連付け及び地図ないしアプリケーションへの関連付けは相互に別個のものである。したがって情報プロバイダのもとでは、問合せを行う通信端末機器ないし通信端末機器を用いて使用されるアプリケーションの可能性及び特性の知識は必要でないので、情報プロバイダのもとでの手間及び費用を節約することができ、情報プロバイダからの情報を費用をかけずに提供することができる。
【０００５】
従属請求項に記載された措置によって、独立請求項に記載されている、情報を提供するステーションの情報を使用する方法、通信端末機器、中央部局、情報を提供するステーションの有利な実施形態及び改善実施形態が実現される。
【０００６】
殊に有利には、位置情報識別子に対応付けられた位置情報が中央部局によってアプリケーション識別子に依存して、アプリケーションによる位置情報の一義的な復号が可能であるように符号化される。このようにして、問合せを行う通信端末機器ないし通信端末機器を用いて使用されるアプリケーションの特性への位置情報の適合を簡潔にまた中央において、すなわちそれぞれの情報プロバイダに依存せずに適合することができる。位置情報を処理するために符号を使用することによって、問合せを行う通信端末機器、したがってこの通信端末機器ないしこの通信端末機器を用いて使用されるアプリケーションの可能性及び特性への一義的な対応付けをなすことができ、この対応付けにより問合せを行う通信端末機器における位置情報の誤った評価は排除される。
【０００７】
中央部局から通信端末機器に伝送すべき位置情報を処理する手間は以下の場合さらに低減することができる。すなわち中央部局によって処理された位置情報が、アプリケーション識別子に依存して位置情報識別子に対応付けられた位置情報に対応付けられて中央部局に記憶されている位置情報として、中央部局から通信端末機器に伝送される場合にはさらに低減することができる。したがって位置情報は既に、問合せを行う通信端末機器ないし通信端末機器を用いて使用されるアプリケーションのために、処理された形で中央部局に存在する。したがって位置情報は通信端末機の問合せの際にその都度新たに処理する必要は無い。むしろ、位置情報をただ一度だけ処理し、引き続き中央部局に記憶すれば十分であり、その結果この位置情報を通信端末機器の問い合わせの際にその都度メモリから読み出すことができ、必要に応じた付加的な符号化を行った後に遠隔通信端末機器に伝送することができる。したがって中央部局における計算の手間は低減される。通信端末機器による問合せの際の位置情報の処理は、問合せを行う通信端末機器ないし通信端末機器を用いて使用されるアプリケーションに既に相応に適合された位置情報を中央部局のメモリから取り出すことであり、また必要に応じた付加的な符号化である。
【０００８】
別の利点は、中央部局が情報を提供するステーションから位置情報を受信し、比較装置を包含するということであり、この比較装置は受信した位置情報に対応付けられメモリに格納されている位置情報識別子を求め、この位置情報識別子が中央部局から情報を提供するステーションへと伝送される。このようにして中央部局の機能性が高められ、通信端末機器によって問い合わされる位置情報を中央部局において求めるためにいずれにせよ既知である位置情報識別子が、情報を提供する問い合わせられるステーションにも供給される。したがって、本発明よる方法を可能限り僅かな手間及びコストでもって実現することができる。
【０００９】
図面
本発明による実施例を図面に示し、以下詳細に説明する。図１は、本発明による方法を実現するための情報を提供するステーション、中央部局及び通信端末機器を備えたブロック図である。図２は、通信端末機器による位置座標の問合せを説明するためのフローチャートである。図３は、情報を提供するステーションによる位置座標識別子の問合せを説明するためのフローチャートである。図４は、中央部局から通信端末機器のアプリケーションへ位置情報を伝送するための概略図である。
【００１０】
実施例の説明
図１には参照記号５でもって通信端末機器が示されており、この端末通信機器５は、第１の送信装置３０、第１の受信装置３５、第２の送信装置５０及び第２の受信装置５５を包含する。第２の送信装置５０及び第２の受信装置５５は第１の通信ネットワーク２０を介する通信に使用される。第１の送信装置３０及び第１の受信装置３５は第２の通信ネットワーク２５を介する通信に使用される。図１に図示したように、２つの通信ネットワーク２０、２５を相互に異なるネットワークとすることができる。しかしながら、２つの通信ネットワーク２０、２５を１つの同一の通信ネットワークとすることもできる。後者の場合には、通信端末機器５にはただ１つの送信装置及びただ１つの受信装置が必要とされることになる。さらには、図１に図示した相互に異なる２つの通信ネットワーク２０、２５を介する通信をただ１つの送信装置及びただ１つの受信装置を用いて実現することも可能であろうし、この場合装置は伝送のためにまさに使用される通信ネットワークに応じて相応に切り換えられる必要がある。しかしながら以下では本発明を、別個の送信装置及び受信装置を及び相互に異なる通信ネットワーク２０、２５を有する図１に示した実施例に基づき説明することとする。
【００１１】
通信端末機器５はさらに制御部１３５を包含し、この制御部１３５には第２の送信装置５０及び第２の受信装置５５が接続されており、制御部１３５はその上アプリケーションモジュール１０及び入力ユニット１４０と接続されている。アプリケーションモジュール１０はアプリケーションを実現するために使用される。アプリケーションはこの例では、位置座標である位置情報を用いて区間を描写するためのディジタルマップを使用する。アプリケーションは以下では例えば、ナビゲーションアプリケーションとして構成されているものとする。ここでアプリケーションモジュール１０は目的地案内ユニット４５と接続されており、この目的地案内ユニット４５はディジタルマップ上の所定の目的地点に関する目的地案内情報を形成し、例えばディスプレイである光学的な表示装置である出力ユニット１４５に出力する。アプリケーションモジュール１０は第１の送信装置３０及び第１の受信装置３５とも接続されている。このアプリケーションモジュール１０は選択的に復号化装置４０を包含し、この復号化装置４０は第１の受信装置３５によって受信された、符号化された位置座標情報を復号する。
【００１２】
図１にはさらに中央部局１５が図示されており、この中央部局１５は第２の通信ネットワーク２５を介する通信のための第３の送信装置８０及び第３の受信装置６０を包含する。中央部局１５はさらに、第３の通信ネットワーク１００を介する通信のための第４の送信装置９５及び第４の受信装置９０を包含する。ここでもまた、第２の通信ネットワーク２５と第３の通信ネットワーク１００を、図１に図示されているように、相互に異なるものにすることができる。しかしながら、第２の通信ネットワーク２５と第３の通信ネットワーク１００を相互に一致させることもできる。この場合、ただ１つの送信装置及びただ１つの受信装置が必要とされることになる。図１に図示したように、第３の通信ネットワーク１００を第２の通信ネットワーク２５と異ならせる場合に、ただ１つの送信装置及びただ１つの受信装置を中央部局１５に設けることもでき、この場合この装置はまさに使用される通信ネットワークに依存して、それぞれ切り換える必要がある。しかしながら図１のようにこの例においては、中央部局１５には第２の通信ネットワーク２５に対しても、第３の通信ネットワーク１００に対してもそれぞれ１つの送信装置及び受信装置が設けられていることを基礎とする。
【００１３】
中央部局１５はさらに比較装置６５を包含し、この比較装置６５は第４の送信装置９５及び第４の受信装置９０と接続されており、この比較装置６５にはさらに処理装置７５、第１のメモリ７０及び第３の受信装置６０が接続されている。処理装置７５は選択的に符号化装置８５を包含し、この符号化装置８５は直接的に比較装置６５に接続されている。処理装置７５にはさらに第３の送信装置８０が接続されている。
【００１４】
図１には、参照記号１でもって情報を提供するステーションが示されており、このステーション１は情報プロバイダまたはサービスプロバイダによって運営され、第１の通信ネットワーク２０を介する通信のための第５の送信装置１１０及び第５の受信装置１０５を包含する。ステーション１はさらに、第３の通信ネットワーク１００を介する通信のための第６の送信装置１１５及び第６の受信装置１２０を包含する。図１によれば、第１の通信ネットワーク２０は第３の通信ネットワーク１００とは異なる。しかしながら、第１の通信ネットワーク２０を第３の通信ネットワーク１００と一致させることも可能であろうし、この場合ステーション１にはただ１つの送信装置及びただ１つの受信装置が必要とされる。図１に示したように、第１の通信ネットワーク２０と第３の通信ネットワーク１００が相互に異なっている場合にも、ステーション１にこれら２つの通信ネットワーク２０、１００のためにただ１つの送信装置及びただ１つの受信装置を設けることもできる。もっともこの場合には、ステーション１のただ１つの送信装置及びただ１つの受信装置は、伝送のためにまさに使用される通信ネットワークに応じて相応に切り換えられる、ないしスイッチオンされる必要がある。
【００１５】
ステーション１はさらに制御部１２５を包含し、この制御部１２５は図１によれば第５の送信装置１１０、第５の受信装置１０５、第６の送信装置１１５及び第６の受信装置１２０と接続されている。さらには制御部１２５には第２のメモリ１３０が接続されている。
【００１６】
図１に示した装置の機能を以下説明する。以下では一例として、第１の通信ネットワーク２０はインターネット、第２の通信ネットワーク２５は例えばＧＳＭ（Ｇｌｏｂａｌ　Ｓｙｓｔｅｍ　Ｍｏｂｉｌｅ　Ｃｏｍｍｕｎｉｃａｔｉｏｎｓ）規格またはＵＭＴＳ（Ｕｎｉｖｅｒｓａｌ　Ｍｏｂｉｌｅ　Ｔｅｌｅｃｏｍｍｕｎｉｃａｔｉｏｎｓ　Ｓｙｓｔｅｍ）規格による移動無線ネットワーク、第３の通信ネットワーク１００は例えばＩＳＤＮ（Ｉｎｔｅｇｒａｔｅｄ　Ｓｅｒｖｉｃｅｓ　Ｄａｔａ　Ｎｅｔｗｏｒｋ）規格による固定ネットワークであるものとする。通信端末機器５は例えば移動体として構成することができ、インターネット２０には同様にいわゆるＷＡＰ（Ｗｉｒｅｌｅｓｓ　Ａｐｐｌｉｃａｔｉｏｎ　Ｐｒｏｔｏｃｏｌ）を使用して移動無線ネットワーク２５を介してアクセスすることができる。この場合でもやはり、通信端末機器５にはただ１つの送信装置及びただ１つの受信装置が配置されれば十分であり、これらの送信装置及び受信装置は移動無線ネットワークを介する通信に適しており、インターネット２０を介して通信を行う場合にはＷＡＰを使用する。ＷＡＰと移動無線ネットワーク２５を介する従来の通信との間でのそのような単一の送信装置及びそのような単一の受信装置の相応に必要とされる切換は、通信端末機器５の制御部１３５を用いて行うことができる。しかしながら明瞭にするために図１では、インターネット２０を介する通信と移動無線ネットワーク２５を介する通信とを相互に別個に表示及び説明するために、別個の送信装置及び受信装置が設けられている。
【００１７】
同一の通信ネットワークを介する通信のために使用される送信装置及び受信装置を、これらの装置が同一のユニットに配置されている場合には、選択的に共通の送信装置及び受信装置に統合することもできる。
【００１８】
通信端末機器５はこの例では車両内にある。アプリケーションモジュール１０、目的地案内ユニット４５及び出力ユニット１４５を、図１に図示されている個々の素子間の上述のコネクションを保ちながら、通信端末機器５の外部に、またこの通信端末機器５に対応付けて配置することもできる。通信端末機器５のユーザ及び車両のドライバはアプリケーションモジュール１０によって実現されるナビゲーションのアプリケーションを用いて、ユーザまたはドライバによって選択された目的地への目的地案内を起動しようと欲し、目的地案内情報が表示ユニット１４５に出力されるものとする。出力を光学的及び／又は音響的に行うことができる。この例では出力が、光学的な表示装置ないしディスプレイに基づいて光学的に行われるものとする。目的地点をユーザによって入力ユニット１４０において設定することができ、通信端末機器５の制御部１３５を介してアプリケーションモジュール１０に供給することができる。ユーザにとっての目的地点を求める他の可能性は、やはり入力ユニット１４０を用いて目的地点を検出することであるが、これは直接的な入力ではなく、インターネットにおける検索である。ここでは、ユーザがステーション１を運営する情報プロバイダのホームページにアクセスするものとする。情報プロバイダは例えばパーキングビルの経営者であり、この経営者はパーキングビルに関する情報をインターネット２０を用いて提供する。通信端末機器５のユーザはこのパーキングビルへの目的地案内に関心を持っている。
【００１９】
以下の経過を図２によるフローチャートに基づいて説明する。入力ユニット１４０において相応のマウスクリックによって、通信端末機器５のユーザはプログラムポイント２００において、第２の送信装置５０及びインターネット２０を介する、パーキングビルに対応付けられた位置座標識別子の問合せを指示する。第５の受信装置１０５を介して、位置座標識別子問合せがステーション１において受信され、ステーション１の制御部１２５によって評価される。第２のメモリ１３０から、ステーション１の制御部１２５はパーキングビルに対応付けられた位置座標識別子を求め、第５の送信装置１１０にインターネット２０を介するこの位置座標識別子の受信装置５５への伝送を指示する。次いでプログラムポイント２０５では、位置座標識別子が第２の受信装置５５において受信され、通信端末機器５の制御部１３５を介してアプリケーションモジュール１０に転送される。続いてプログラムポイント２１０に分岐する。プログラムポイント２１０ではアプリケーションモジュール１０がナビゲーションアプリケーションを用いて第１の送信装置に第２の通信ネットワーク２５を介する中央部局１５への位置座標の問合せを指示し、この問合せと共にステーション１によって求められた位置座標識別子並びにナビゲーションアプリケーションに対応付けられたアプリケーション識別子が中央部局１５に伝送される。第３の受信装置６０は問合せを位置座標識別子及びアプリケーション識別子と共に受信し、この問合せを比較装置６５に転送する。
【００２０】
プログラムポイント２１５では、受信した位置座標識別子に基づいて、比較装置６５はこの位置座標識別子に対応付けられ、第１のメモリ７０に格納されているパーキングビルの位置座標を求める。この位置座標は絶対的な位置座標であるが、この絶対的な位置座標のナビゲーションアプリケーションのディジタルマップにおける描写には誤りを有する可能性があり、何故ならば、この絶対的な位置座標はディジタルマップ及びナビゲーションアプリケーションに適合されていないからである。したがって求められた位置座標は続くプログラムポイント２２０において処理装置７５に転送され、受信したアプリケーション識別子に依存して、位置座標がナビゲーションアプリケーションのディジタルマップにおいて誤りなく描写ないし表示できるように処理装置７５によって処理される。このために処理装置７５においては、ナビゲーションアプリケーション及びアプリケーションのディジタルマップの特性及び可能性が既知である。処理装置７５は位置座標を、通信端末機器５におけるナビゲーションアプリケーションによって読取れる形で出力する。位置座標は続くプログラムポイント２２５において、第３の送信装置８０から移動無線ネットワーク２５を介して第１の受信装置３５に伝送され、第１の受信装置によって受信される。続くプログラムポイント２３０では、第１の受信装置３５は受信した処理された位置座標をアプリケーションモジュール１０に転送し、このアプリケーションモジュール１０では位置座標を一義的に復号し、誤り無くナビゲーションアプリケーションのディジタルマップに表示することができる。続いてプログラムは終了され、アプリケーションモジュール１０は目的地案内ユニット４５に目的地案内情報の表示ユニット１４５への出力を指示し、通信端末機器５ないし車両のユーザを、中央部局１５から受信した位置座標を用いて描写されるディジタルマップ上の目的地点に案内する。
【００２１】
図３に基づいて、どのようにしてステーション１が中央部局１５に位置座標識別子を問い合わせるかをフローチャートを用いて説明する。プログラムポイント２３５ではステーション１の制御部１２５は、例えば図１には図示されていない入力ユニットにおける入力によって第６の送信装置１１５、第３の通信ネットワーク１００を介する中央部局１５への位置座標識別子問合せの伝送を指示する。位置座標識別子問合せは、情報プロバイダのホームページにおいて示されたパーキングビルの絶対的な位置座標の記述を包含し、この絶対的な位置座標は同様にステーション１の図１には図示していない入力ユニットにおいて入力することができるか、ステーション１の制御部１２５によって第２のメモリ１３０から取り出すことができる。中央部局１５はこの位置座標識別子問合せを位置座標と共に第４の受信装置９０を用いて受信し、位置座標識別子問合せを位置座標と共に比較装置６５に転送する。比較装置６５は受信した絶対的な位置座標に基づいて、この位置座標に対応付けられ第１のメモリ７０に格納されている位置座標識別子を求め、プログラムポイント２４０ではこの位置座標識別子を第４の送信装置９５を用いて第３の通信ネットワークを介してステーション１に伝送する。ステーション１では第６の受信装置１２０を用いて位置座標識別子を受信する。ステーション１の制御部１２５は、パーキングビルに対応付けられたこの位置座標識別子を第２のメモリ１３０に格納することを指示する。続いてプログラムが終了される。
【００２２】
処理装置７５によって位置座標を処理する際には、位置座標を第１のメモリ７０から読み出した後に符号化装置８５によって、この位置座標がアプリケーションモジュール１０によって受信された後にそのアプリケーションモジュール１０における復号化装置４０によって一義的に復号できるように符号化される。位置座標には符号化装置８５を用いた符号化によって識別子を添付することができ、この識別子は復号化装置４０によって同様に一義的に復号化することができ、一緒に伝送される位置座標をディジタルマップ上に描写するための制御情報を包含し、これらの制御情報はアプリケーションモジュール１０及びそこで実行されるナビゲーションアプリケーションに対して固有に形成されており、したがってアプリケーションモジュール１０によって処理することができる。処理装置７５における別の処理はこの場合もはや絶対的に必要なものではなく、したがって省略することができ、その結果処理装置７５における処理はこの場合符号化装置８５によってのみ実行される。
【００２３】
付加的または択一的に、第１のメモリ７０には位置座標識別子に対応付けられて、アプリケーション識別子にも対応付けられている位置座標が既に処理された状態で存在し、通信端末機器５から受信した位置座標識別子及びアプリケーション識別子に基づいて、比較装置６５を用いて第１のメモリから取り出すことができ、さらなる処理を行わずに直接的に第３の送信装置８０を介して通信端末機器５に伝送することができる。そのようにして求められた、既に処理された位置座標の付加的な符号化は勿論付加的に符号化装置８５を用いて可能であるが、それは必要ではなく、またアプリケーションモジュール１０における復号化装置４０によって再び戻すことができ、その結果アプリケーションモジュール１０における位置座標の一義的な復号化が可能である。
【００２４】
この符号化を同様に既述のやり方でアプリケーション識別子に依存して行うことができ、アプリケーションモジュール１０の固有のナビゲーションアプリケーションに調整することができる。既述のやり方で位置座標が既に処理された状態で、位置座標情報として第１のメモリ７０に存在する場合には、位置座標の処理はただ一度だけ、処理によって生じた位置座標情報を第１のメモリ７０に記憶する前に行いさえすれば良く、通信端末機器５による位置座標の問合せの際にその都度中央部局１５において実行する必要はない。この場合、処理装置７５による位置座標の処理は簡潔に、処理装置７５が位置座標情報を比較装置６５を用いて第１のメモリ７０から取り出し、第３の送信装置８０に送出するということであり、ここで選択的には既述のやり方での符号化装置８５による符号化をさらに行うことができる。
【００２５】
符号化装置による必要に応じた符号化は以下のようにして行われる。すなわち、通信端末機器５から受信したアプリケーション識別子に依存して、位置座標がアプリケーションモジュール１０における復号化装置４０によって復号化された後にこの位置座標がナビゲーションアプリケーションによって使用され、またディジタルマップ上に描写及び表示可能である形で存在するように行われ、その結果目的地点としてのこの位置座標を用いて目的地案内ユニット４５による目的地案内を実現することができる。
【００２６】
図１の実施例によれば、第１の通信ネットワーク２０はインターネットとして構成されている。この場合、ここでは一例としてパーキングビルとされている位置座標識別子を情報プロバイダのインターネットページにおいて例えば符号化、格納することもでき、このようにしてインターネットページを介して通信端末機器５から呼び出すことができるので、この過程に対しては第５の受信装置１０５及び第５の送信装置１１０並びに第２のメモリ１３０からの位置座標識別子の読み出しは必要ない。それにもかかわらずこれらのコンポーネントを、前述したやり方でステーション１の制御部１２５と共に、通信端末機器５によって問い合わされた位置座標識別子を求めるために使用することができ、このことは第１の通信ネットワーク２０がインターネットとして構成されているか否かに依存しない。位置座標識別子が符号化された状態でインターネットページに格納されている場合には、位置座標識別子が中央部局１５において相応に符号化された状態で存在しなくとも、通信端末機器５における復号化が必要である。
【００２７】
ここでは一例として実施されているパーキングビルの位置座標に対する位置座標識別子の問合せを以下のことによっても実現することができる。すなわち、ステーション１のプロバイダがステーション１の図１には図示していない入力ユニットを介して、第３の通信ネットワーク１００を介する中央部局１５自体への通信コネクションの確立後に、第１のメモリ７０に格納されているデータベースにおいてパーキングビルの位置座標を検索する。ここでデータベースをディジタルマップとして第１のメモリ７０に格納することができる。このディジタルマップを、ステーション１の図１には図示していない再生ユニットにおいて光学的及び／又は音響的に出力することができ、ステーション１のプロバイダはディジタルマップ上におけるパーキングビルを発見することが可能である。
【００２８】
第１のメモリ７０に格納されている位置座標を誤りなくステーション１の再生ユニットにおいて再生できることを前提とする。このために同様に、ステーション１は再生識別子を中央部局１５に伝送し、この再生識別子に基づいて中央部局１５はステーション１に伝送すべき第１のメモリ７０からの位置座標を、この位置座標が誤りなくステーション１の再生ユニットにおいて表示できるように処理することが必要である。このようにしてステーション１において選択された位置座標は位置座標識別子問合せと共に既述のやり方で中央部局１５に伝送され、対応付けられた位置座標識別子を中央部局１５から得る。ステーション１において表示ないし再生されるマップにおける位置座標の選択を開始するために、位置座標識別子問合せを中央部局１５に伝送することは絶対的に必要ではない。このことは、位置座標識別子が必要とされる位置座標がステーション１において選択されたときに初めて必要である。ステーション１の再生装置におけるディジタルマップ上にこの位置座標を表示するために中央部局１５からステーション１に位置座標を伝送することは、ステーション１の側で適切な地図表示問合せをトリガすることによって行うこともできる。
【００２９】
第１のメモリ７０に記憶されたデータベースは、任意のアプリケーションの任意のディジタルマップにおいて参照される全ての位置座標を包含することができる。理想的には各位置座標組ないし各地理的な地点には世界的に一義的な位置座標識別子が対応付けられており、支援する各ディジタルマップ及び支援する各アプリケーションに対しては、相応のアプリケーションのために処理された位置座標組を包含するそれぞれ１つの具体的な位置座標情報が対応付けられている。したがってこの位置座標情報は、位置座標情報に対応付けられたディジタルマップないしアプリケーションに適合されており、したがって位置座標情報をこの位置座標情報に対応付けられたディジタルマップ上に誤りなく表示ないし描写することができる。
【００３０】
ディジタルマップないしディジタルマップを用いるアプリケーションの関連する全ての提供者間における取り決めによって、中央部局１５には常に、それぞれのアプリケーション識別子に対応付けられている、このディジタルマップのために処理された最新の位置座標を供給することができる。この場合中央部局１５は、同一の絶対的な位置座標を基礎とする、種々のアプリケーションの処理された位置座標を、それぞれに共通する１つの位置座標識別子によって参照することができる。通常の場合計算に時間を要するこの参照を中央において中央部局１５内で実施することができ、もはや各情報プロバイダのもとで、すなわちステーション１において行う必要はなく、その結果ステーション１では僅かな計算の手間しか必要とされない。すなわち中央部局１５は複数のステーション１に既述のやり方で位置座標識別子を供給することができる。
【００３１】
第３の通信ネットワーク１００も移動無線ネットワークまたはインターネットとして構成することができ、第２の通信ネットワーク２５を固定ネットワークまたはインターネットとして構成することができる。相応にして第１の通信ネットワーク２０を移動無線ネットワークまたは固定ネットワークとして構成することができる。
【００３２】
記述の方法は、中央部局１５による位置座標の処理の他にも、通信端末機器５によって使用されるアプリケーション１０用の位置情報の評価に適している。中央部局１５によって通信端末機器５のアプリケーションのために処理される位置情報は、例えば場所の名称または地名でも良く、アプリケーション１０の位置データベースを完全にしたものでも良い。
【００３３】
既述の例では中央部局１５は通信端末機器５の位置座標の問合せの際に、受信したアプリケーション識別子に基づいて、対応付けられたアプリケーション１０を求めることができる。ここでこのアプリケーション１０を基礎とする位置データベースは中央部局１５において同様に既知である。つまり中央部局１５が例えば、通信端末機器５によって位置座標が要求されるパーキングビルへの進入路はアプリケーション１０の位置データベースにおいて既知でないことを識別すると、中央部局１５はパーキングビルに対する位置座標と共に、進入路に関する相応の位置情報も通信端末機器５に送信する。この位置情報は、アプリケーション１０には既知である道路への進入路の少なくとも進入地点までを備えている進入路の幾何学に関するデータを包含する。このことは通信端末機器５のアプリケーション１０がこのような位置情報を処理することもできる、すなわちアプリケーション１０の位置データベースを少なくとも一時的に拡張できるということを前提とする。このことを中央部局１５において受信したアプリケーション識別子に基づいても検査することができる。
【００３４】
図４は、進入路に関する位置情報１０００及びパーキングビルの位置座標２０００を、進入路に関する位置情報１０００もパーキングビルの位置座標２０００も包含する位置データベース３０００を有する中央部局１５から、図面において破線で示唆されているように、これらの位置情報１０００及び位置座標２０００を本来的には包含してしていない位置データベース４０００を有する通信端末機器５のアプリケーション１０へと伝送する様子を概略的に示す。
【図面の簡単な説明】
【図１】
本発明によるステーション、中央部局及び通信端末機器のブロック図。
【図２】
通信端末機器による位置座標の問合せを説明するフローチャート。
【図３】
ステーションによる位置座標識別子の問合せを説明するフローチャート。
【図４】
位置情報の伝送の概略図。
【図２】
2004511133.tif 000003
【図３】
2004511133.tif 000004
【国際公開パンフレット】
2004511133.tif 000005
2004511133.tif 000006
2004511133.tif 000007
2004511133.tif 000008
2004511133.tif 000009
2004511133.tif 000010
2004511133.tif 000011
2004511133.tif 000012
2004511133.tif 000013
2004511133.tif 000014
2004511133.tif 000015
2004511133.tif 000016
2004511133.tif 000017
2004511133.tif 000018
2004511133.tif 000019
2004511133.tif 000020
2004511133.tif 000021
2004511133.tif 000022
2004511133.tif 000023
2004511133.tif 000024
2004511133.tif 000025
2004511133.tif 000026
2004511133.tif 000027
2004511133.tif 000028
2004511133.tif 000029
2004511133.tif 000030
2004511133.tif 000031
2004511133.tif 000032
2004511133.tif 000033
2004511133.tif 000034
【国際公開パンフレット（コレクトバージョン）】
2004511133.tif 000035
2004511133.tif 000036
【国際調査報告】
2004511133.tif 000037
2004511133.tif 000038
2004511133.tif 000039
2004511133.tif 000040
2004511133.tif 000041
2004511133.tif 000042